(57)【特許請求の範囲】
【請求項１】
着色剤として染料のみと、アルミナの微粒子と、液媒体とを少なくとも含有してなるボールペン用インキ。
【請求項２】
前記ボールペン用インキが、更にＬ−アスコルビン酸ナトリウムを含有する請求項１に記載のボールペン用インキ。
【発明の詳細な説明】
【技術分野】
【０００１】
本発明は、紙面等の被筆記面に接触してインキを転写する筆記ボールをボールホルダーにて回転自在に抱持し、筆記ボールの回転に伴いボールホルダーとの隙間からインキを吐出するボールペンチップを備えるボールペンに使用されるインキに関する。
【背景技術】
【０００２】
ボールペン用のインキは、筆記ボールの回転に伴って、筆記ボール表面に付着したインキが紙などの被筆記面に転写され筆跡を形成する。即ち、筆記に際して筆記ボールが回転することから、通常、この筆記ボールとボールホルダーとの接触する部分において摩擦が生じることになる。一般的にボールホルダーには、ボール受け座と呼ばれる、筆記ボールが被筆記面と接触することにより受けた筆圧を受ける部分があり、このボール受け座には、インキタンクのインキを流通させるインキ通孔が形成されている。インキ通孔に繊維収束体のような強制的なインキ誘導部材を配置する場合もあるが、その場合でもインキ誘導部材は直接筆記ボールと接触させることは少なく、結局はボール受け座に形成したインキ通孔から流出するインキが筆記に供されることになる。また、このインキ通孔は、ボールの断面と同様な円形では、ボールがインキ通孔を塞いでインキの導出を阻害することとなるので、矢溝と呼ばれる数本の放射状溝を形成したり、インキ通孔を多角形としたり異形にして筆記ボールがインキ通孔の全てを塞がないようになされている。
【０００３】
上述の筆記ボールとボールホルダーとの摩擦は、主にこのボール受け座にて発生する。一般的にボールホルダーはボールよりも軟質の材料にて形成されていると共に、ボールの表面は微細な凹凸が形成されており、前記摩擦がボール受け座を摩耗させることがあった、特にステンレス鋼は、腐食による外観損失や、変形によるボール外れでインキが漏れることが抑制されたものとすることができるが、一方、難切削性のため、切削面が凸凹になり易く、ボールとボールホルダーとの摩擦が増大し、ボール受け座の摩耗が顕著になった。ボール受け座が摩耗すると、筆記ボールによって塞がれるインキ通孔の面積が増大する。即ち、筆記に際して、筆記ボールがボール受け座に押し付けられた時に開口している有効なインキ通孔の面積が減少し、前記矢溝などを超えて拡がるとインキ通孔が完全に閉塞されてしまうことになる。このようなことから、筆記を続けていると、筆跡がかすれたり、筆記不能となったりしてしまうことがある。
【０００４】
この問題を解決するために、インキ中に水溶性切削油や潤滑油などを添加してインキの潤滑性を上げる試みがなされている。潤滑性を付与する添加剤については、例えば、特開昭６０−６３２６５号公報にはＮ−ビニル−２−ピロリドンのオリゴマーを添加したボールペン用水性インキ組成物（特許文献１参照）が、特開昭６０−２３８３７５号公報には、ジチオリン酸塩等を添加したボールペン用水性インキ組成物（特許文献２参照）が、特開平０５−２７１６０３号公報にはジアルキルチオ尿素を配合したボールペン用水性顔料インキ（特許文献３参照）が、特開平０７−２４７４５９号公報にはスルホランを添加した水性ボールペン用顔料インキ組成物（特許文献４参照）が、特開２００１−１０６９５６公報にはメルカプトベンゾチアゾール誘導体を添加したボールペン用水性インキ組成物（特許文献５参照）が開示されている。
【特許文献１】特開昭６０−６３２６５号公報（第２頁左上欄３〜６行）
【特許文献２】特開昭６０−２３８３７５号公報（第２頁左上欄６〜９行）
【特許文献３】特開平０５−２７１６０３号公報（第２頁第２欄５〜１５行）
【特許文献４】特開平０７−２４７４５９号公報（第２頁第２欄１〜４行）
【特許文献５】特開２００１−１０６９５６公報（第２頁第２欄１５〜２１行）
【発明の開示】
【発明が解決しようとする課題】
【０００５】
しかし、上述の従来技術は、いずれもインキに潤滑油の働きをする液体を添加するものであり、ボール受け座の摩耗を抑制するに十分な効果が得られておらず、たとえ効果が得られても、一方でインキの表面張力を著しく低下させて筆跡が滲みやすくなるなど、他の実用上の問題を伴うものであった。
【０００６】
本発明の目的は、ボールの回転によるボール受け座の摩耗を極力防止することにより良好なインキの吐出性を確保し、インキをすべて消費するまでかすれることなく筆記可能なボールペン用水性インキを提供することにある。
【課題を解決するための手段】
【０００７】
即ち、着色剤として染料のみと、アルミナの微粒子と、液媒体とを少なくとも含有してなるボールペン用インキを要旨とする。
【発明の効果】
【０００８】
本発明に係わるボールペン用インキは、アルミナをインキに添加することで、アルミナがボールとボール受け座との間で破砕されることなくベアリング的な作用をすると推察され、また、お互いの接触面積を極力少なくする結果、インキの流動層が厚くなると推察され、ボールの回転による摩擦が小さくなってボール受け座の摩耗が少なくなると考えられる。また、比較的硬いアルミナによって、筆記ボールの表面及び／または受け座表面が研磨され、ボールが回転していくうちに筆記ボールの表面がなだらかとなり、ボール受け座との接触による摩擦が少なくなってボール受け座の摩耗が減少していくことも考えられる。ボール受け座の摩耗が少ないので、充填されたインキをすべて消費するまでかすれることなく筆記することができるという目的が充分に達成できる有用なものである。
【発明を実施するための最良の形態】
【０００９】
以下、詳細に説明する。
アルミナの微粒子は、球形であることによって「ころ」の効果が期待できることが予想され好ましいが、板状などの平板形状であっても配行させるなどして「そり」の効果を期待することもできる。いずれにしても動く（回転する）ものであるボールと動かないもの（軸受け）であるボールホルダーとの間で摩擦を小さくする作用が働けばよく、特に、ボールホルダーに形成された切削面の凹凸などを研磨する働きを持たせたものであってもよい。また、粒度調整をして粒度分布が狭いもの、具体的には平均粒子径±２５％の大きさの粒子径が５０％以上のもので、その平均粒径は０．１〜３０μｍのものを使用することが好ましい。平均粒子径が０．１μｍ未満の微粒子では、ボール受け座の摩耗抑制効果が充分でない可能性がある。また、平均粒子径が３０μｍを越えると、ボールペンのインキ流通路の大きさとの関係で不具合が発生する可能性がある。
また、粒度分布巾が広く、３０μｍ以上の粗大粒子を含む微粒子については、インキを濾過、遠心分離して除去して使用してもよい。
【００１０】
アルミナの微粒子を使用することによって、微粒子のボールに対する研磨効果が期待できる。この研磨効果はボール表面の凹凸状態と微粒子の形状や粒子径と密接に関係していると考えられる。特に、筆記ボールの表面が、５０μｍ×５０μｍの領域内の算術平均粗さが数ｎｍ〜数十ｎｍで、かつ最大高低差が数百ｎｍのものであれば、微粒子の粒子径が０．１μｍ〜３０μｍ、平均粒子径で０．１〜２０μｍのものであれば高い研磨効果が期待できる。
【００１１】
また、アルミナの微粒子の使用量はインキ全量に対して０．００３〜１０重量％が好ましい。使用量が０．００３重量％未満の場合、ボール沈みの防止効果が充分に発揮できない可能性がある。また、１０重量％以上であると、筆跡が所望の色調と多少あわなかったり、ボールペンチップ内でのインキの詰まりから筆記かすれが生じたりする可能性がある。
【００１２】
染料は、筆跡に着色効果を付与し視認させるものであり、酸性染料、直接染料、塩基性染料等が挙げられる。
具体例を挙げると、ジャパノールファストブラックＤコンク（Ｃ．Ｉ．ダイレクトブラック１７）、ウォーターブラック１００Ｌ（同１９）、ウォーターブラックＬ−２００（同１９）、ダイレクトファストブラックＢ（同２２）、ダイレクトファストブラックＡＢ（同３２）、ダイレクトディープブラックＥＸ（同３８）、ダイレクトファストブラックコンク（同５１）、カヤラススプラグレイＶＧＮ（同７１）、カヤラスダイレクトブリリアントエローＧ（Ｃ．Ｉ．ダイレクトエロー４）、ダイレクトファストエロー５ＧＬ（同２６）、アイゼンプリムラエローＧＣＬＨ（同４４）、ダイレクトファストエローＲ（同５０）、アイゼンダイレクトファストレッドＦＨ（Ｃ．Ｉ．ダイレクトレッド１）、ニッポンファストスカーレットＧＳＸ（同４）、ダイレクトファストスカーレット４ＢＳ（同２３）、アイゼンダイレクトローデュリンＢＨ（同３１）、ダイレクトスカーレットＢ（同３７）、カヤクダイレクトスカーレット３Ｂ（同３９）、アイゼンプリムラピンク２ＢＬＨ（同７５）、スミライトレッドＦ３Ｂ（同８０）、アイゼンプリムラレッド４ＢＨ（同８１）、カヤラススプラルビンＢＬ（同８３）、カヤラスライトレッドＦ５Ｇ（同２２５）、カヤラスライトレッドＦ５Ｂ（同２２６）、カヤラスライトローズＦＲ（同２２７）、ダイレクトスカイブルー６Ｂ（Ｃ．Ｉ．ダイレクトブルー１）、ダイレクトスカイブルー５Ｂ（同１５）、スミライトスプラブルーＢＲＲコンク（同７１）、ダイボーゲンターコイズブルーＳ（同８６）、ウォーターブルー＃３（同８６）、カヤラスターコイズブルーＧＬ（同８６）、カヤラススプラブルーＦＦ２ＧＬ（同１０６）、カヤラススプラターコイズブルーＦＢＬ（同１９９）等の直接染料や、アシッドブルーブラック１０Ｂ（Ｃ．Ｉ．アシッドブラック１）、ニグロシン（同２）、スミノールミリングブラック８ＢＸ（同２４）、カヤノールミリングブラックＶＬＧ（同２６）、スミノールファストブラックＢＲコンク（同３１）、ミツイナイロンブラックＧＬ（同５２）、アイゼンオパールブラックＷＨエクストラコンク（同５２）、スミランブラックＷＡ（同５２）、ラニルブラックＢＧエクストラコンク（同１０７）、カヤノールミリングブラックＴＬＢ（同１０９）、スミノールミリングブラックＢ（同１０９）、カヤノールミリングブラックＴＬＲ（同１１０）、アイゼンオパールブラックニューコンク（同１１９）、ウォーターブラック１８７−Ｌ（同１５４）、カヤクアシッドブリリアントフラビンＦＦ（Ｃ．Ｉ．アシッドエロー７：１）、カヤシルエローＧＧ（同１７）、キシレンライトエロー２Ｇ１４０％（同１７）、スミノールレベリングエローＮＲ（同１９）、ダイワタートラジン（同２３）、カヤクタートラジン（同２３）、スミノールファストエローＲ（同２５）、ダイアシッドライトエロー２ＧＰ（同２９）、スミノールミリングエローＯ（同３８）、スミノールミリングエローＭＲ（同４２）、ウォーターエロー＃６（同４２）、カヤノールエローＮＦＧ（同４９）、スミノールミリングエロー３Ｇ（同７２）、スミノールファストエローＧ（同６１）、スミノールミリングエローＧ（同７８）、カヤノールエローＮ５Ｇ（同１１０）、スミノールミリングエロー４Ｇ２００％（同１４１）、カヤノールエローＮＧ（同１３５）、カヤノールミリングエロー５ＧＷ（同１２７）、カヤノールミリングエロー６ＧＷ（同１４２）、スミトモファストスカーレットＡ（Ｃ．Ｉ．アシッドレッド８）、カヤクシルクスカーレット（同９）、ソーラールビンエクストラ（同１４）、ダイワニューコクシン（同１８）、アイゼンボンソーＲＨ（同２６）、ダイワ赤色２号（同２７）、スミノールレベリングブリリアントレッドＳ３Ｂ（同３５）、カヤシルルビノール３ＧＳ（同３７）、アイゼンエリスロシン（同５１）、カヤクアシッドローダミンＦＢ（同５２）、スミノールレベリングルビノール３ＧＰ（同５７）、ダイアシッドアリザリンルビノールＦ３Ｇ２００％（同８２）、アイゼンエオシンＧＨ（同８７）、ウォーターピンク＃２（同９２）、アイゼンアシッドフロキシンＰＢ（同９２）、ローズベンガル（同９４）、カヤノールミリングスカーレットＦＧＷ（同１１１）、カヤノールミリングルビン３ＢＷ（同１２９）、スミノオールミリングブリリアントレッド３ＢＮコンク（同１３１）、スミノールミリングブリリアントレッドＢＳ（同１３８）、アイゼンオパールピンクＢＨ（同１８６）、スミノールミリングブリリアントレッドＢコンク（同２４９）、カヤクアシッドブリリアントレッド３ＢＬ（同２５４）、カヤクアシッドブリリドブリリアントレッドＢＬ（同２６５）、カヤノールミリングレッドＧＷ（同２７６）、ミツイアシッドバイオレット６ＢＮ（Ｃ．Ｉ．アシッドバイオレット１５）、ミツイアシッドバイオレットＢＮ（同１７）、スミトモパテントピュアブルーＶＸ（Ｃ．Ｉ．アシッドブルー１）、ウォーターブルー＃１０６（同１）、パテントブルーＡＦ（同７）、ウォーターブルー＃９（同９）、ダイワ青色１号（同９）、スプラノールブルーＢ（同１５）、オリエントソルブルブルーＯＢＣ（同２２）、スミノールレベリングブルー４ＧＬ（同２３）、ミツイナイロンファストブルーＧ（同２５）、カヤシルブルーＡＧＧ（同４０）、カヤシルブルーＢＲ（同４１）、ミツイアリザリンサフィロールＳＥ（同４３）、スミノールレベリングスカイブルーＲエクストラコンク（同６２）、ミツイナイロンファストスカイブルーＢ（同７８）、スミトモブリリアントインドシアニン６Ｂｈ／ｃ（同８３）、サンドランシアニンＮ−６Ｂ３５０％（同９０）、ウォーターブルー＃１１５（同９０）、オリエントソルブルブルーＯＢＢ（同９３）、スミトモブリリアントブルー５Ｇ（同１０３）、カヤノールミリングウルトラスカイＳＥ（同１１２）、カヤノールミリングシアニン５Ｒ（同１１３）、アイゼンオパールブルー２ＧＬＨ（同１５８）、ダイワギニアグリーンＢ（Ｃ．Ｉ．アシッドグリーン３）、アシッドブリリアントミリンググリーンＢ（同９）、ダイワグリーン＃７０（同１６）、カヤノールシアニングリーンＧ（同２５）、スミノールミリンググリーンＧ（同２７）等の酸性染料、アイゼンカチロンイエロー３ＧＬＨ（Ｃ．Ｉ．ベーシックイエロー１１）、アイゼンカチロンブリリアントイエロー５ＧＬＨ（同１３）、スミアクリルイエローＥ−３ＲＤ（同１５）、マキシロンイエロー２ＲＬ（同１９）、アストラゾンイエロー７ＧＬＬ（同２１）、カヤクリルゴールデンイエローＧＬ−ＥＤ（同２８）、アストラゾンイエロー５ＧＬ（同５１）、アイゼンカチロンオレンジＧＬＨ（Ｃ．Ｉ．ベーシックオレンジ２１）、アイゼンカチロンブラウン３ＧＬＨ（同３０）、ローダミン６ＧＣＰ（Ｃ．Ｉ．ベーシックレッド１）、アイゼンアストラフロキシン（同１２）、スミアクリルブリリアントレッドＥ−２Ｂ（同１５）、アストラゾンレッドＧＴＬ（同１８）、アイゼンカチロンブリリアントピンクＢＧＨ（同２７）、マキシロンレッドＧＲＬ（同４６）、アイゼンメチルバイオレット（Ｃ．Ｉ．ベーシックバイオレット１）、アイゼンクリスタルバイオレット（同３）、アイゼンローダミンＢ（同１０）、アストラゾンブルーＧ（Ｃ．Ｉ．ベーシックブルー１）、アストラゾンブルーＢＧ（同３）、メチレンブルー（同９）、マキシロンブルーＧＲＬ（同４１）、アイゼンカチロンブルーＢＲＬＨ（同５４）、アイゼンダイヤモンドグリーンＧＨ（Ｃ．Ｉ．ベーシックグリーン１）、アイゼンマラカイトグリーン（同４）、ビスマルクブラウンＧ（Ｃ．Ｉ．ベーシックブラウン１）等の塩基性染料が挙げられる。
【００１３】
液媒体は、上記染料等の着色材を溶解又は分散するものであり、主に水が好適に使用される。水の他にはボールペンとしての種々の品質、例えば、ペン先でのインキ乾燥防止、低温時でのインキ凍結防止などの目的で使用するものである。
具体的には、エタノール、１−プロパノール、２−プロパノール、ブチルアルコール等のアルコール類、エチレングリコール、ジエチレングリコール、トリエチレングリコール、プロピレングリコール、１、３−ブチレングリコール、チオジエチレングリコール、グリセリン等のグリコール類や、エチレングリコールモノメチルエーテル、ジエチレングリコールモノメチルエーテル、２−ピロリドン、トリエタノールアミン等を単独或は混合して使用することができる。尚、水を使用せずに、フェニルセルソルブやベンジルアルコール等の水に溶解しない又は難溶の有機溶剤のみで構成する系とすることもできる。
【００１４】
又、インキの粘度を調整するために粘度調整剤を添加することができる。例えば、ポリビニルアルコール、ポリアクリル酸ソーダ、ポリアクリルアミド、ポリエチレンオキサイド、ポリビニルピロリドン等の水溶性合成高分子物質や、種子多糖類類のグァーガム、ローカストビーンガム及びその誘導体、微生物系のザンサンガム、ウェランガム、ラムザンガム、海藻多糖類のカラーギナン、アルギン酸及びその誘導体、樹脂多糖類のタラガントガム、セルロース系樹脂、ピロリドン系樹脂などの樹脂を使用することができる。これらの粘度調節材は一種若しくは二種以上を混合して使用することもできる。好ましいインキの粘度は、１００ｍＰａ・ｓ（Ｅ型粘度計でｓｔローターを使用し、１０ｒｐｍで５分経過後に測定）以上である。但し、５０，０００ｍＰａ・ｓを超えるとインキの流動性が阻害されるなど他の問題が生じる可能性がある。
【００１５】
更に尿素、エチレン尿素、チオ尿素等の湿潤剤やベンゾチアゾリン系、オマジン系などの防腐剤、ベンゾトリアゾールなどの防錆剤、着色材の分散剤、潤滑剤、凍結防止剤、などの種々の添加剤を必要に応じて添加できる。
【００１６】
本発明のインキを製造するに際しては、従来知られている種々の方法が採用できるが、例えば、上記各成分を配合し、ターボミキサー、ヘンシェルミキサー等の撹拌機により撹拌混合することによって、又、ボールミル、サンドグラインダー、スピードラインミル、ロールミル等の分散機により混合粉砕することによって容易に得られる。更に、必要に応じて、濾過や遠心分離によってインキ中の粗大粒子を除去してもよい。
【００１７】
ボールペンのペン先として使用するボールペンチップは、図１に示したもののように、主に筆記部材としての筆記ボール１と、この筆記ボール１を回転自在に抱持するボールホルダー２となるものである。ボールホルダー２はインキ通路としての内孔３を有しており、その先端開口部３ａは、ボール１を設置した後にかしめ加工を施すことによってボール１の直径より小さい径に縮径化されており、ボール１の抜け止めがなされている。また、内孔３には、複数の内方突出部４が放射状に形成されており、ボール１の後方移動規制をなすと共に、各内方突出部４の間の空間を中心孔５と連通してインキの通過する放射状溝６を形成している。
筆記ボール１としては、主にタングステンカーバイド合金である所謂超硬製のボールやジルコニア等のセラミック製ボールが使用でき、ビッカーズ硬さ（Ｈｖ）１０００〜３０００程度のものが好適に使用できる。ボールホルダー２としては、ステンレス鋼を使用し、ビッカーズ硬さ（Ｈｖ）１５０〜３００程度のものが好適に使用できる。
【００１８】
また、タングステンカーバイド製の筆記ボールとステンレス鋼製のボールホルダーとを使用した場合、この筆記ボールが、表面の少なくとも５０μｍ×５０μｍの領域内の算術平均粗さが５〜２５ｎｍで、かつ最大高低差が１００〜６００ｎｍのものを使用することが好適である。更に、前記筆記ボールの表面において、５０μｍの線分中に、前記算術平均粗さの５倍以上の凹部が少なくとも２箇所以上存在することが好適である。
算術平均粗さ（Ｒａ）はＪＩＳ  Ｂ０６０１で定義されている中心線平均粗さを測定面（２５００μｍ２、一辺５０μｍの正方形）に対して三次元に拡張し、基準面から指定面までの偏差の絶対値を平均した値を使用した。表面粗さの測定は（セイコーエプソン社製の機種名ＳＰＩ３８００Ｎ）を使用した。最大高低差（Ｐ−Ｖ）は測定面における最大高さ（Ｚｍａｘ）と最小高さ（Ｚｍｉｎ）の差である。また、５０μｍの線分中の凹部の個数は、測定面に対し、その測定面を横断する任意の位置に直線状に引いたもので、その線分中における測定部の断面構造を示すものである。
【実施例】
【００１９】
以下、実施例に基づき更に詳細に説明する。
実施例１
ウォーターブラック＃２５６Ｌ（黒色染料の１４％水溶液、オリエント化学工業（株）
４０．０重量部
エチレングリコール                                                ５．０重量部
グリセリン                                                        ６．０重量部
ジエチレングリコール                                              ６．０重量部
サルコシネートＯＨ（Ｎ−オレオイルサルコシン、界面活性剤、日光ケミカルズ（株）製）                                                                ２．５重量部
水酸化ナトリウム                                                  ０．２重量部
キサンタンガム（増粘樹脂）                                        ０．４重量部
プロクセルＧＸＬ（１，２−ベンズイソチアゾリン−３−オン、防腐剤、ＩＣＩジャパン（株）製）                                                        ０．１重量部
イオン交換水                                                    ３９．７重量部
アルミナ（平均粒径１μｍ）                                        ０．１重量部
上記成分中、キサンタンガムと水とをラボミキサーにて３０分間攪拌して均一に溶解しケルザン水溶液を調整し、これに残りの各成分を加えて、更に２時間混合攪拌してインキを得た。
【００２１】
実施例３
ウォーターピンク＃２（Ｃ．Ｉ．ＡＣＩＤ  ＲＥＤ９２、オリエント化学工業（株）製）
５．０重量部
ウォーターイエロー＃６                                            １．０重量部
エチレングリコール                                              ２３．０重量部
グリセリン                                                        ５．０重量部
サルコシネートＯＨ                                                １．０重量部
水酸化ナトリウム                                                  ０．１重量部
ベンゾトリアゾール                                                ０．５重量部
Ｌ−アスコルビン酸ナトリウム（溶存酸素除去剤）                    ０．１重量部
カルボキシメチルヒドロキシプロピル化ガーガム（増粘剤）            ０．３重量部
プロクセルＸＬ−２                                                ０．２重量部
イオン交換水                                                    ６１．８重量部
アルミナ（平均粒径０．５μｍ）                                    ２．０重量部
上記各成分を１時間撹拌混合してインキを得た。
【００２２】
実施例４
ウォーターブルー１０５Ｓ（Ｃ．Ｉ．ＡＣＩＤ  ＢＬＵＥ９０、オリエント化学工業（株）製）                                                            ４．０重量部
エチレングリコール                                                ５．０重量部
グリセリン                                                        ３．０重量部
ジチオジグリコール                                              １５．０重量部
ベンゾトリアゾール                                                ０．５重量部
Ｌ−アスコルビン酸ナトリウム                                      ０．４重量部
プロクセルＸＬ−２                                                ２．０重量部
イオン交換水                                                ７０．０９７重量部
アルミナ（平均粒径０．５μｍ）                                ０．００３重量部
上記各成分を１時間撹拌混合してインキを得た。
【００２３】
比較例１
実施例１において、アルミナの代わりに水を用いた以外は、実施例１と同様になしてインキを得た。
【００２４】
比較例２
実施例１のアルミナの代わりに炭酸カルシウム（新モース硬度３、平均粒径１．３μｍ）を用いた以外は、実施例１と同様にしてインキを得た。
【００２５】
比較例３
実施例１のアルミナの代わりに、二硫化モリブデン（新モース硬度１、平均粒径３μｍ）を用いた以外は、実施例１と同様にしてインキを得た。
【００２６】
以上、実施例１〜４及び比較例１〜３で得たインキを、ステンレスボールペンチップ（ボール材質：タングステンカーバイド）を一端に連接したポリプロピレン製の中空軸筒よりなる透明なインキ収容管に０．８ｇ直接充填し（ぺんてる（株）製ハイブリッド、Ｋ１０８使用）、各々筆記距離及びボール受け座の摩耗について試験した。結果を表１に示す。
【００２７】
筆記距離：自転式連続筆記試験機（螺旋機、精機工業研究所製）を用い、筆記速度７ｃｍ／ｓｅｃ、荷重１００ｇ、角度７０°で連続筆記してかすれの発生した筆記距離を測定した。
【００２８】
ボール受け座の摩耗：上記筆記試験において、実施例１〜４及び比較例１〜３をそれぞれ筆記させるボールペンチップにおいて、筆記ボールを上向きにしたときの筆記前のボール突出長さと、試験後のボール突出長さとの差よりボール受け座の摩耗量（長手方向距離）を測定した。比較例は充填したインキ組成物が残っていたが、インキは吐出しなかったので、２００ｍ連続筆記後のボール突出長さとの差よりボール受け座の摩耗を測定した。なお、ボール突出長さは工具顕微鏡を用い、ボールホルダーの先端からボール先端までの長さを測定した。
【００２９】
【表１】
0005212068.tif 000002
【００３０】
以上、詳細に説明したように、本発明に係わるボールペン用インキは、ボール受け座の摩耗が少ないので、充填されたインキをすべて消費するまでかすれることなく筆記することができるという目的が充分に達成できる有用なものである。
【図面の簡単な説明】
【００３１】
【図１】ボールペンチップの一例を示す要部縦断面拡大図。
【符号の説明】
【００３２】
１  筆記ボール
２  ボールホルダー
３  内孔
３ａ  先端開口部
４  内方突出部
５  中心孔
６  放射状溝
【図１】
0005212068.tif 000003